(57)【特許請求の範囲】
【請求項１】
選別対象物を移送しながら篩い選別する揺動選別機構と、前記揺動選別機構における下側の精選別領域に選別風を供給する精選別用の主唐箕と、前記揺動選別機構における上側の粗選別領域に選別風を供給する粗選別用の副唐箕とを備え、
前記揺動選別機構は、粗選別領域の移送方向上手側に配置する粗選別用のグレンパンと、粗選別領域における前記グレンパンよりも移送方向下手側の下位に配置する粗選別用のチャフシーブと、前記チャフシーブの移送方向上手側から漏下した選別対象物を移送方向下手側に流下案内する案内板とを備え、
前記チャフシーブは、移送方向に揺動可能な状態で移送方向に所定間隔をあけて整列配置した複数のチャフリップ板と、前記複数のチャフリップ板を連動揺動可能に連係する連係部材とを備え、
前記複数のチャフリップ板が連動して移送方向上手側に上昇揺動すると、隣接するチャフリップ板間の開度が小さくなり、かつ、前記複数のチャフリップ板が連動して移送方向下手側に下降揺動すると、隣接するチャフリップ板間の開度が大きくなるように、前記チャフシーブを開度調節可能に構成し、
前記グレンパンの下方における前記チャフシーブの移送方向直前箇所に、前記副唐箕からの選別風を、前記グレンパンと前記チャフシーブとの間の第１風路に流す第１選別風と、前記チャフシーブと前記案内板との間の第２風路に流す第２選別風とに上下に分流する分流体を配置し、
前記分流体は、分流終端側ほど下方に位置する傾斜姿勢の分流終端側部分と、分流始端側ほど下方に位置する傾斜姿勢の分流始端側部分とを備え、前記分流体のうち前記分流終端側部分と前記分流始端側部分との接続部に対応する上端が、移送方向最上手側のチャフリップ板の上端よりも上方に位置し、かつ、前記分流終端側部分の延長線が、前記移送方向最上手側のチャフリップ板の上部に向かって、前記移送方向最上手側のチャフリップ板と交差するように延びており、
前記分流終端側部分における移送方向下手側の端部と前記チャフシーブの移送方向上手側の端部との間に、前記分流終端側部分に沿って前記チャフシーブに向かう前記第１選別風を、前記移送方向最上手側のチャフリップ板に沿って流下させて前記第２選別風に合流させる第３風路が形成され、
前記チャフシーブの開度を最大開度に近づけた場合に、前記移送方向最上手側のチャフリップ板の遊端側が、前記分流終端側部分における移送方向下手側の端部よりも移送方向下手側に位置し、かつ、前記チャフシーブの開度を最小開度に近づけた場合に、前記移送方向最上手側のチャフリップ板の遊端側が、前記分流終端側部分の下方に入り込んで前記分流終端側部分と平面視で重複するように構成している脱穀装置。
【請求項２】
前記分流体を、前記分流始端側部分と前記分流終端側部分との挟角が鈍角になるように構成している請求項１に記載の脱穀装置。
【請求項３】
前記チャフシーブの開度を最小開度に近づけるほど、前記分流終端側部分と前記移送方向最上手側のチャフリップ板との挟角が鈍角になるように構成している請求項１又は２に記載の脱穀装置。
【請求項４】
前記案内板における移送方向上手側の端部が、前記分流体における移送方向上手側の端部よりも移送方向下手側に位置し、かつ、前記チャフシーブの開度を最小開度に設定した状態での前記移送方向最上手側のチャフリップ板の遊端部よりも移送方向上手側に位置している請求項１〜３のいずれか一つに記載の脱穀装置。
【発明の詳細な説明】
【技術分野】
【０００１】
本発明は、選別対象物を移送しながら篩い選別する揺動選別機構と、前記揺動選別機構における上側の粗選別領域に選別風を供給する粗選別用の唐箕とを備えた脱穀装置に関する。
【背景技術】
【０００２】
上記のような脱穀装置としては、揺動選別機構の粗選別領域に開度調節可能なチャフシーブを備え、揺動選別機構におけるチャフシーブの直前箇所に、チャフシーブに近づくほど上下間隔が広くなるＶ字状の分流体を配備して、粗選別用の唐箕からの選別風を、チャフシーブの上下に分流するように構成したものがある（例えば特許文献１参照）。
【先行技術文献】
【特許文献】
【０００３】
【特許文献１】特開２００７−１７４９９７号公報（段落番号００２５、００２９，００３０、図１、図２）
【発明の概要】
【発明が解決しようとする課題】
【０００４】
上記の構成では、チャフシーブが開度調節可能であることから、チャフシーブ上の選別対象物が多い場合には、チャフシーブの開度を大きくすることにより、チャフシーブからの選別対象物の漏下を促進させることができる。その結果、チャフシーブ上で選別対象物が滞留することに起因した選別効率の低下を回避することができる。逆に、チャフシーブ上の選別対象物が少ない場合には、チャフシーブの開度を小さくすることにより、チャフシーブからの選別対象物の漏下を抑制することができる。その結果、チャフシーブから漏下する選別対象物に対して選別風が作用し易くなり、比重の小さい稈屑などの選別対象物からの除去を良好に行うことができる。
【０００５】
しかしながら、分流体により分流されてチャフシーブの上下に流れる選別風の流量は、チャフシーブの開度に関係なく一定になる。そのため、チャフシーブの開度を大きくした場合には、それに伴って増大するチャフシーブからの選別対象物の漏下量に対して、チャフシーブの下方からチャフリップ板の間を吹き上がる選別風の流量が少なくなる上に、その選別風の流速が遅くなる。その結果、選別対象物からの比重の小さい稈屑などの除去が行われ難くなる。逆に、チャフシーブの開度を小さくした場合には、それに伴って減少するチャフシーブからの選別対象物の漏下量に対して、チャフシーブの下方からチャフリップ板の間を吹き上がる選別風の流量が多くなる上に、その選別風の流速が速くなる。その結果、選別対象物に含まれる穀粒がチャフシーブから漏下し難くなる。
【０００６】
つまり、チャフシーブ上の選別対象物が多くなることによってチャフシーブの開度を大きくするほど、粗選別用の唐箕からの選別風による選別精度が低下する不都合を招く虞があり、又、チャフシーブ上の選別対象物が少なくなることによってチャフシーブの開度を小さくするほど、粗選別用の唐箕からの選別風に起因して穀粒の回収効率が低下する不都合を招く虞がある。
【０００７】
本発明の目的は、粗選別用の唐箕からの選別風に起因した選別精度及び穀粒回収効率の低下を回避できるようにすることにある。
【課題を解決するための手段】
【０００８】
本発明の課題解決手段では、
選別対象物を移送しながら篩い選別する揺動選別機構と、前記揺動選別機構における下側の精選別領域に選別風を供給する精選別用の主唐箕と、前記揺動選別機構における上側の粗選別領域に選別風を供給する粗選別用の副唐箕とを備え、
前記揺動選別機構は、粗選別領域の移送方向上手側に配置する粗選別用のグレンパンと、粗選別領域における前記グレンパンよりも移送方向下手側の下位に配置する粗選別用のチャフシーブと、前記チャフシーブの移送方向上手側から漏下した選別対象物を移送方向下手側に流下案内する案内板とを備え、
前記チャフシーブは、移送方向に揺動可能な状態で移送方向に所定間隔をあけて整列配置した複数のチャフリップ板と、前記複数のチャフリップ板を連動揺動可能に連係する連係部材とを備え、
前記複数のチャフリップ板が連動して移送方向上手側に上昇揺動すると、隣接するチャフリップ板間の開度が小さくなり、かつ、前記複数のチャフリップ板が連動して移送方向下手側に下降揺動すると、隣接するチャフリップ板間の開度が大きくなるように、前記チャフシーブを開度調節可能に構成し、
前記グレンパンの下方における前記チャフシーブの移送方向直前箇所に、前記副唐箕からの選別風を、前記グレンパンと前記チャフシーブとの間の第１風路に流す第１選別風と、前記チャフシーブと前記案内板との間の第２風路に流す第２選別風とに上下に分流する分流体を配置し、
前記分流体は、分流終端側ほど下方に位置する傾斜姿勢の分流終端側部分と、分流始端側ほど下方に位置する傾斜姿勢の分流始端側部分とを備え、前記分流体のうち前記分流終端側部分と前記分流始端側部分との接続部に対応する上端が、移送方向最上手側のチャフリップ板の上端よりも上方に位置し、かつ、前記分流終端側部分の延長線が、前記移送方向最上手側のチャフリップ板の上部に向かって、前記移送方向最上手側のチャフリップ板と交差するように延びており、
前記分流終端側部分における移送方向下手側の端部と前記チャフシーブの移送方向上手側の端部との間に、前記分流終端側部分に沿って前記チャフシーブに向かう前記第１選別風を、前記移送方向最上手側のチャフリップ板に沿って流下させて前記第２選別風に合流させる第３風路が形成され、
前記チャフシーブの開度を最大開度に近づけた場合に、前記移送方向最上手側のチャフリップ板の遊端側が、前記分流終端側部分における移送方向下手側の端部よりも移送方向下手側に位置し、かつ、前記チャフシーブの開度を最小開度に近づけた場合に、前記移送方向最上手側のチャフリップ板の遊端側が、前記分流終端側部分の下方に入り込んで前記分流終端側部分と平面視で重複するように構成している。
【０００９】
この手段によると、チャフシーブの開度が大きいほど、各チャフリップ板が垂下姿勢に近づくことにより、分流体の分流終端側部分に沿って移送方向下手側下方のチャフシーブに向かう第１選別風が、移送方向上手側のチャフリップ板に沿ってチャフシーブの移送方向上手側から流下し易くなる。そのため、第２選別風に合流する第１選別風が多くなって、チャフシーブの下方からチャフリップ板の間を吹き上がる選別風の流量が多くなるとともに、その選別風の流速が低下し難くなる。これにより、チャフシーブの開度が大きくなるのに伴ってチャフシーブからの漏下量が多くなる選別対象物からの比重の小さい稈屑などの除去を効果的に行うことができる。
【００１０】
逆に、チャフシーブの開度が小さいほど、各チャフリップ板が水平姿勢に近づくことにより、分流体の分流終端側部分に沿って移送方向下手側下方のチャフシーブに向かう第１選別風が、移送方向上手側のチャフリップ板に沿ってチャフシーブの移送方向下手側上方に流れ易くなる。そのため、チャフシーブの上方を通る選別風の流量が多くなって、第２選別風に合流する第１選別風が少なくなることから、チャフシーブの下方からチャフリップ板の間を吹き上がる選別風の流量が少なくなるとともに、その選別風の流速が上昇し難くなる。これにより、チャフシーブの開度が小さくなるのに伴って、選別対象物中の穀粒がチャフシーブから漏下し難くなる不都合の発生を回避することができる。
【００１１】
その結果、粗選別用の唐箕からの選別風に起因した選別精度及び穀粒回収効率の低下を回避することができる。
また、分流体の分流終端側部分に沿って流れる第１選別風がチャフシーブの移送方向上手側部分に向かい易くなる。これにより、チャフシーブの開度を大きくした場合に、チャフシーブの移送方向上手側部分において第２選別風に合流する第１選別風を多くすることができ、チャフシーブからの漏下量が多くなる選別対象物からの比重の小さい稈屑などの除去をより効果的に行うことができる。
その結果、粗選別用の唐箕からの選別風による選別精度を向上させることができる。
また、チャフシーブの開度を小さくして各チャフリップ板を水平姿勢に近づけた場合に、分流体の分流終端側部分に沿って移送方向下手側下方のチャフシーブに向かう第１選別風が、分流体の分流終端側部分と移送方向最上手側のチャフリップ板との間から流下し難くなる。これにより、チャフシーブの開度を小さくした場合に、第２選別風に合流する第１選別風をより確実に少なくすることができる。
その結果、チャフシーブの開度を小さくした場合での粗選別用の唐箕からの選別風に起因した穀粒回収効率の低下をより確実に回避することができる。
【００１２】
【００１３】
【００１４】
【００１５】
本発明をより好適なものにするための手段の一つとして、
前記分流体を、前記分流始端側部分と前記分流終端側部分との挟角が鈍角になるように構成している。
【００１６】
この手段によると、第１選別風と第２選別風とのそれぞれを、滞留させることなく分流体に沿わせることができて、チャフシーブの上下に無駄なく速やかに案内することができる。
【００１７】
【００１８】
【００１９】
【００２０】
本発明をより好適なものにするための手段の一つとして、
前記チャフシーブの開度を最小開度に近づけるほど、前記分流終端側部分と前記移送方向最上手側のチャフリップ板との挟角が鈍角になるように構成している。
【００２１】
この手段によると、チャフシーブの開度を小さくするほど、分流体の分流終端側部分に沿って移送方向下手側下方のチャフシーブに向かう第１選別風が、移送方向最上手側のチャフリップ板に沿ってチャフシーブの移送方向下手側上方に更に流れ易くなる。これにより、チャフシーブの開度を小さくした場合に、第２選別風に合流する第１選別風をより確実に少なくすることができる。
【００２２】
その結果、チャフシーブの開度を小さくした場合での粗選別用の唐箕からの選別風に起因した穀粒回収効率の低下をより確実に回避することができる。
【００２３】
本発明をより好適なものにするための手段の一つとして、
前記案内板における移送方向上手側の端部が、前記分流体における移送方向上手側の端部よりも移送方向下手側に位置し、かつ、前記チャフシーブの開度を最小開度に設定した状態での前記移送方向最上手側のチャフリップ板の遊端部よりも移送方向上手側に位置している。
【００２４】
この手段によると、チャフシーブと案内板との間の第２風路に流れる第２選別風の流量を適切にすることができる。
【図面の簡単な説明】
【００２５】
【図１】脱穀装置の縦断左側面図である。
【図２】選別部の移送方向上手側での構成を示す要部の縦断左側面図である。
【図３】チャフシーブの開度を大きくした状態での粗選別用の唐箕からの選別風の流れを示す要部の縦断左側面図である。
【図４】チャフシーブの開度を小さくした状態での粗選別用の唐箕からの選別風の流れを示す要部の縦断左側面図である。
【発明を実施するための形態】
【００２６】
以下、本発明を実施するための形態の一例として、本発明を、脱穀装置の一例である自脱型コンバインの脱穀装置に適用した実施形態を図面に基づいて説明する。
【００２７】
図１に示すように、本実施形態で例示する自脱型コンバインの脱穀装置は、刈取穀稈の穂先側に扱き処理を施す脱穀部１、扱き処理により得られた選別対象物に選別処理を施す選別部２、及び、選別処理で得た穀粒などを回収する回収部３、などを備えている。
【００２８】
脱穀部１は、その左側部に配備した挟持搬送機構４、前後向きの支軸５を中心にして回転する扱胴６、及び、扱胴６の下部側を下方から覆う受網７、などを備えている。挟持搬送機構４は、突起付きの無端回動チェーンからなるフィードチェーン８及び挟持レール（図示せず）などを備えて、図外の刈取搬送装置からの刈取穀稈を後方に搬送する。扱胴６は、その大部分を形成する前部側の第１扱胴部９と、扱胴６の後端部を形成する第２扱胴部１０とを相対回転可能に備えている。そして、第１扱胴部９の回転速度を第２扱胴部１０の回転速度よりも遅くすることにより、第１扱胴部９での扱き処理による千切れ穀稈や稈屑などの発生を抑制している。又、第２扱胴部１０の回転速度を第１扱胴部９の回転速度よりも速くすることにより、穀粒の扱き残しが発生することを防止している。受網７は、扱胴６の外周に沿って湾曲する円弧状に形成している。そして、扱き処理で得た穀粒などの選別対象物を選別部２の移送方向上手側領域である前側領域に漏下させる。又、受網７から漏下しなかった選別対象物を、受網７の後端に連接する送塵口１１から選別部２の移送方向下手側領域である後側領域に供給する。
【００２９】
選別部２は、脱穀部１からの選別対象物を移送方向下手側となる後部側に移送しながら篩い選別する揺動選別機構１２、揺動選別機構１２における下側の精選別領域などに選別風を供給する精選別用の主唐箕１３、揺動選別機構１２における上側の粗選別領域に選別風を供給する第１副唐箕１４（特許請求の範囲に記載の「粗選別用の副唐箕」）、及び、揺動選別機構１２における後部側の選別領域に選別風を供給する第２副唐箕１５、などを備えている。
【００３０】
図１及び図２に示すように、揺動選別機構１２は、平面視矩形状に形成した枠状のシーブケース１６に、粗選別用の第１グレンパン１７、複数の第１篩線１８、粗選別用の第２グレンパン１９、複数の第２篩線２０、粗選別用のチャフシーブ２１、粗選別用のストローラック２２、後下がり傾斜姿勢の案内板２３、及び、精選別用のグレンシーブ２４を備えている。シーブケース１６の後部には、エンジン（図示せず）からの動力によりシーブケース１６を揺動駆動する偏心カム式の駆動部２５を装備している。
【００３１】
第１グレンパン１７は、シーブケース１６における粗選別領域の前部側に配備している。そして、第１グレンパン１７は、受網７の前部側から漏下した選別対象物を比重差選別しながら後方に移送する。複数の第１篩線１８は、左右方向に一定間隔をあけた状態で第１グレンパン１７の後端部から後上方に向けて延出している。そして、複数の第１篩線１８は、第１グレンパン１７からの選別対象物を解しながら下方のチャフシーブ２１の前端部に供給する。第２グレンパン１９は、シーブケース１６における粗選別領域の後部側で、送塵口１１の下方箇所に配備している。そして、第２グレンパン１９は、送塵口１１からの選別対象物を比重差選別しながら後方に移送する。複数の第２篩線２０は、左右方向に一定間隔をあけた状態で第２グレンパン１９の移送終端部から移送方向下手側に向けて延出している。そして、複数の第２篩線２０は、第２グレンパン１９からの選別対象物を解しながら下方のチャフシーブ２１の後端部及びストローラック２２に供給する。チャフシーブ２１は、シーブケース１６の粗選別領域における第１グレンパン１７よりも後部側（移送方向下手側）の下位に配備している。そして、チャフシーブ２１は、複数の第１篩線１８からの選別対象物、受網７の後部側から漏下した選別対象物、及び、複数の第２篩線２０からの選別対象物を篩い選別しながら後方に移送する。ストローラック２２は、シーブケース１６の粗選別領域におけるチャフシーブ２１の後側にチャフシーブ２１と連接する状態で配備している。そして、ストローラック２２は、複数の第２篩線２０からの選別対象物、及び、チャフシーブ２１からの選別対象物を篩い選別しながら後方に移送し、漏下しなかった長い千切れ穀稈などを揺動選別機構１２の後方に備えた排出口（図示せず）から機外に排出する。案内板２３は、シーブケース１６における精選別領域の前部側に配備している。そして、案内板２３は、チャフシーブ２１の前部側から漏下した選別対象物を後部側に流下案内する。グレンシーブ２４は、シーブケース１６における精選別領域の後部側に配備している。そして、グレンシーブ２４は、チャフシーブ２１の後部側から漏下した選別対象物、及び、案内板２３が流下案内した選別対象物を、篩い選別しながら後方に移送する。
【００３２】
尚、図１に示す符号３９は、エンジンからの動力で回転することにより、複数の第２篩線２０に供給された選別対象物を解して、選別対象物に含まれる単粒化穀粒などの流下を促進させる拡散胴である。又、符号４０は、エンジンからの動力で回転することにより、各唐箕１３〜１５からの選別風により後上方に風力搬送された稈屑などを吸引して機外に排出する排塵ファンである。
【００３３】
図１〜４に示すように、チャフシーブ２１は、前後方向（移送方向）に揺動可能な状態で前後方向に所定間隔をあけて整列配置した複数のチャフリップ板２７と、複数のチャフリップ板２７を連動揺動可能に連係する連係部材２８とを備えている。そして、複数のチャフリップ板２７が連動して前側（移送方向上手側）に上昇揺動すると、隣接するチャフリップ板間の開度が小さくなり、かつ、複数のチャフリップ板２７が連動して後側（移送方向下手側）に下降揺動すると、隣接するチャフリップ板間の開度が大きくなるように、チャフシーブ２１を開度調節可能に構成している。
【００３４】
図示は省略するが、チャフシーブ２１の開度調節は、開度調節用の制御手段が、チャフシーブ上に堆積した選別対象物の層厚を検出する層厚センサの出力に基づいて、選別対象物の層厚が厚くなるほどチャフシーブ２１の開度が大きくなり、逆に、選別対象物の層厚が薄くなるほどチャフシーブ２１の開度が小さくなるように、開度調節用の電動モータの作動を制御することで、自動的に適切に行われるように構成している。
【００３５】
図１及び図２に示すように、主唐箕１３は、揺動選別機構１２の案内板２３の下方に配備している。そして、主唐箕１３は、エンジンからの動力で回転することにより、グレンシーブ２４により精選別される選別対象物などに対して、移送方向上手側の下方から選別風を供給して風力選別を行う。これにより、グレンシーブ２４により精選別される選別対象物に含まれる比重の小さい稈屑などを排出口に向けて風力搬送する。
【００３６】
図示は省略するが、主唐箕１３は、回転制御用の制御手段が、前述した層厚センサの出力に基づいて、選別対象物の層厚が厚くなるほど、主唐箕１３の回転速度が速くなって主唐箕１３からの選別風量が多くなり、逆に、選別対象物の層厚が薄くなるほど、主唐箕１３の回転速度が遅くなって主唐箕１３からの選別風量が少なくなるように、主唐箕用の変速装置を変速操作する電動モータの作動を制御することで、選別風量の調節が自動的に適切に行われるように構成している。
【００３７】
図１〜４に示すように、第１副唐箕１４は、第１グレンパン１７の下方で、主唐箕１３の上部前方に配備している。そして、第１副唐箕１４の上端位置と主唐箕１３の上端位置とが高さ方向で略一致するように配置設定している。又、第１副唐箕１４の後端位置と主唐箕１３の前端位置とが前後方向で近接するように配置設定している。そして、第１副唐箕１４は、エンジンからの動力で定速回転することにより、受網７の後部側及び複数の第１篩線１８などからチャフシーブ２１に流下する選別対象物、及び、チャフシーブ２１から漏下する選別対象物などに対して、移送方向上手側の下方から選別風を供給して風力選別を行う。これにより、チャフシーブ２１などにより粗選別される選別対象物に含まれる比重の小さい稈屑などを排出口に向けて風力搬送する。
【００３８】
図１に示すように、第２副唐箕１５は、回収部３の下方に配備している。そして、第２副唐箕１５は、エンジンからの動力で定速回転することにより、ストローラック２２から漏下する選別対象物などに対して、移送方向上手側の下方から選別風を供給して風力選別を行う。これにより、ストローラック２２などにより選別される選別対象物に含まれる比重の小さい稈屑などを排出口に向けて風力搬送する。
【００３９】
上記の構成により、選別部２においては、脱穀部１からの選別対象物を、グレンシーブ２４から１番物として流下させる単粒化穀粒と、グレンシーブ２４の後方に２番物として供給する枝梗附着粒や二又粒などと、排出口から３番物として機外に排出する千切れ穀稈や稈屑などとに精度良く選別することができる。
【００４０】
図１及び図２に示すように、回収部３は、グレンシーブ２４から流下した単粒化穀粒を回収する１番回収部２９と、グレンシーブ２４の後方に供給された枝梗附着粒や二又粒などを回収する２番回収部３０とを備えている。１番回収部２９の底部には、エンジンからの動力で回転することにより、１番回収部２９により回収した単粒化穀粒を右方に搬送する１番スクリュ３１を配備している。２番回収部３０の底部には、エンジンからの動力で回転することにより、２番回収部３０により回収した枝梗附着粒や二又粒などを右方に搬送する２番スクリュ３２を配備している。
【００４１】
１番スクリュ３１の右端部には、１番スクリュ３１との連動により、１番スクリュ３１により搬送した単粒化穀粒を揚送して図外の穀粒タンクに供給する揚送コンベヤ３３を連接している。２番スクリュ３２の右端部には、２番スクリュ３２との連動により、２番スクリュ３２により搬送した枝梗附着粒や二又粒などに扱き処理を施す２番処理胴３４と、２番処理胴３４による扱き処理後の選別対象物を選別部２に還元する２番還元スクリュ３５とを連接している。
【００４２】
図１〜４に示すように、揺動選別機構１２は、第１グレンパン１７の下方におけるチャフシーブ２１の移送方向直前箇所に、第１副唐箕１４からの選別風を、第１グレンパン１７とチャフシーブ２１との間の第１風路３６に流す第１選別風と、チャフシーブ２１と案内板２３との間の第２風路３７に流す第２選別風とに上下に分流する分流体３８を配備している。
【００４３】
分流体３８は、その分流始端側部分３８Ａが分流始端側ほど下方に位置する前下がり傾斜姿勢になって、第１副唐箕１４の送風口１４Ａに向かうように構成している。又、分流体３８は、その分流終端側部分３８Ｂが分流終端側ほど下方に位置する後下がり傾斜姿勢になって、分流終端側部分３８Ｂの延長線Ｌが最前（移送方向最上手側）のチャフリップ板２７の上部に向かうように構成している。そして、分流体３８は、分流始端側部分３８Ａと分流終端側部分３８Ｂとが接する分流体３８の上端が最前のチャフリップ板２７の上端よりも上方に位置し、かつ、分流始端側部分３８Ａと分流終端側部分３８Ｂとの挟角θａが鈍角になるように構成している。
【００４４】
チャフシーブ２１は、その開度を最小開度に近づけた場合に、最前のチャフリップ板２７の遊端側が分流終端側部分３８Ｂの下方に入り込んで分流終端側部分３８Ｂと平面視で重複するように構成している。又、チャフシーブ２１は、その開度を最小開度に近づけるほど、分流終端側部分３８Ｂと最前のチャフリップ板２７との挟角θｂが鈍角になるように構成している。
【００４５】
案内板２３は、その前端部（移送方向上手側の端部）２３ａが、分流体３８の分流始端部（移送方向上手側の端部）３８ａよりも後側（移送方向下手側）に位置し、かつ、チャフシーブ２１の開度を最小開度に設定した状態での最前のチャフリップ板２７の遊端部２７ａよりも前側（移送方向上手側）に位置するように構成している。そして、案内板２３における前端部２３ａの姿勢を、分流体３８の分流始端側部分３８Ａに向かう上向き姿勢に設定している。
【００４６】
上記の構成により、第１副唐箕１４からの選別風を、第１選別風と第２選別風とに無駄なく速やかに分流することができる。そして、第１選別風と第２選別風とのそれぞれを、滞留させることなく分流体３８に沿わせることができて、チャフシーブ２１の上下に無駄なく速やかに案内することができる。
ここで、分流終端側部分３８Ｂにおける分流終端部（移送方向下手側の端部）とチャフシーブ２１の前端部（移送方向上手側の端部）との間に、分流終端側部分３８Ｂに沿ってチャフシーブ２１に向かう第１選別風を、最前のチャフリップ板２７に沿って流下させて第２選別風に合流させる第３風路４１が形成されている。
【００４７】
そして、チャフシーブ２１に堆積する選別対象物の層厚が厚くなってチャフシーブ２１の開度が大きくなると、その開度が大きいほど、各チャフリップ板２７が垂下姿勢に近づくことにより、分流体３８の分流終端側部分３８Ｂに沿って後下方のチャフシーブ２１に向かう第１選別風が、前端側のチャフリップ板２７に沿ってチャフシーブ２１の前端側から流下し易くなる。そのため、第２選別風に合流する第１選別風が多くなって、チャフシーブ２１の下方からチャフリップ板２７の間を通って後上方（移送方向下手側上方）に向けて吹き上がる選別風の流量が多くなるとともに、その選別風の流速が低下し難くなる。これにより、チャフシーブ２１の開度が大きくなるのに伴ってチャフシーブ２１からの漏下量が多くなる選別対象物からの比重の小さい稈屑などの除去を効果的に行うことができる。
【００４８】
逆に、チャフシーブ２１に堆積する選別対象物の層厚が薄くなってチャフシーブ２１の開度が小さくなると、その開度が小さいほど、各チャフリップ板２７が水平姿勢に近づくことにより、分流体３８の分流終端側部分３８Ｂに沿って後下方のチャフシーブ２１に向かう第１選別風が、前端側のチャフリップ板２７に沿ってチャフシーブ２１の後上方に流れ易くなる。そのため、チャフシーブ２１の上方を通る選別風の流量が多くなって、第２選別風に合流する第１選別風が少なくなることから、チャフシーブ２１の下方からチャフリップ板２７の間を通って後上方に向けて吹き上がる選別風の流量が少なくなるとともに、その選別風の流速が上昇し難くなる。これにより、チャフシーブ２１の開度が小さくなるのに伴って、選別対象物中の穀粒がチャフシーブ２１から漏下し難くなる不都合の発生を回避することができる。又、チャフシーブ２１に供給する選別対象物に対しては第１選別風が作用し、チャフシーブ２１から漏下する選別対象物に対しては第２選別風が作用することから、選別対象物からの比重の小さい稈屑などの除去を良好に行うことができる。
【００４９】
つまり、脱穀部１からの選別対象物の供給量に応じて自動調節されるチャフシーブ２１の開度に応じて、チャフシーブ２１の下方からチャフリップ板２７の間を吹き上がる選別風の流量を適切に調節することができ、第１副唐箕１４からの選別風によるチャフシーブ周辺での選別対象物の風力選別を良好に行うことができる。
【００５０】
〔別実施形態〕
【００５１】
【００５２】
〔１〕脱穀装置としては、第２副唐箕１５を備えていないものであってもよい。
【００５３】
〔２〕分流体３８は、その分流終端側部分３８Ｂが分流終端側ほど下方に位置する傾斜姿勢であれば、分流終端側部分３８Ｂの延長線Ｌが移送方向最上手側のチャフリップ板２７の上方に向かうように構成してもよい。
【００５４】
〔３〕粗選別用の唐箕１４が、粗選別用のチャフシーブ２１に対する移送方向上手側の真正面から粗選別用のチャフシーブ２１に向けて選別風を供給するように構成した場合には、分流体３８の分流始端側部分３８Ａが水平姿勢になるように構成してもよい。
【００５５】
〔４〕分流体３８の上端が、移送方向最上手側のチャフリップ板２７の上端と同じ高さ位置、又は、移送方向最上手側のチャフリップ板２７の上端よりも下方に位置するように構成してもよい。
【００５６】
〔５〕チャフシーブ２１の開度を最小開度に近づけた場合に、移送方向最上手側のチャフリップ板２７の遊端側が分流終端側部分３８Ｂの下方に入り込まずに、分流終端側部分３８Ｂに近接するように構成してもよい。
【００５７】
〔６〕案内板２３における移送方向上手側の端部２３ａが、分流体３８における移送方向上手側の端部３８ａと移送方向で同じ位置、又は、分流体３８における移送方向上手側の端部３８ａよりも移送方向上手側に位置するように構成してもよい。又、案内板２３における移送方向上手側の端部２３ａが、分流体３８の分流始端側部分３８Ａよりも移送方向上手側の位置に向かうように構成してもよい。
【産業上の利用可能性】
【００５８】
本発明に係る脱穀装置は、自脱形コンバインや全稈投入形コンバインなどに適用することができる。
【符号の説明】
【００５９】
１２    揺動選別機構
１３ 主唐箕
１４    粗選別用の副唐箕（第１副唐箕）
１７    粗選別用のグレンパン
２１    粗選別用のチャフシーブ
２３    案内板
２３ａ  移送方向上手側の端部
２７    チャフリップ板
２７ａ  移送方向最上手側のチャフリップ板の遊端部
２８    連係部材
３６    第１風路
３７    第２風路
３８    分流体
３８Ａ  分流始端側部分
３８ａ  移送方向上手側の端部
３８Ｂ  分流終端側部分
４１ 第３風路
Ｌ      延長線
θａ    分流体における分流始端側部分と分流終端側部分との挟角
θｂ    分流体の分流終端側部分と移送方向最上手側のチャフリップ板との挟角
【図１】
0006270680.tif 000002
【図２】
0006270680.tif 000003
【図３】
0006270680.tif 000004
【図４】
0006270680.tif 000005